(57)【要約】【課題】  本発明は魚釣用リールに係り、円滑な釣糸繰出し操作や巻き取り操作を可能とした魚釣用リールを提供することを目的とする。【解決手段】  リール本体に設けた軸受部に、スプールを回転自在に支持した魚釣用リールに於て、前記スプールと前記軸受部との間に、軸方向に当該スプールを付勢する付勢部材を装着し、当該付勢部材の付勢力で、前記軸受部との間に軸方向に間隔を空けてスプールを規制支持したことを特徴とする。【選択図】    図２
2008061529.tif 000002
【特許請求の範囲】
【請求項１】
リール本体に設けた軸受部に、スプールを回転自在に支持した魚釣用リールに於て、
前記スプールと前記軸受部との間に、軸方向に当該スプールを付勢する付勢部材を装着し、当該付勢部材の付勢力で、前記軸受部との間に軸方向に間隔を空けてスプールを規制支持したことを特徴とする魚釣用リール。
【発明の詳細な説明】
【技術分野】
【０００１】
本発明は、リール本体に回転自在に支持したスプールを、一方の側板に装着したハンドルの回転操作またはリール本体に装着したスプールモータで巻取り駆動する魚釣用リールに関する。
【背景技術】
【０００２】
特許文献１または特許文献２に開示されるように、従来、魚釣用リールは、リール本体に設けた軸受部にスプールが回転自在に支持されており、スプールは、リール本体に設けた軸受部との間で、スプールフリー性能を維持すべくスラスト方向に所望の間隔を有する状態で支持されている。
そして、スプールは、リール本体の一方の側板に装着したハンドルの回転操作や、リール本体に装着したスプールモータの駆動で回転して釣糸が巻回され、釣糸を所定のポイントに繰り出す際には、スプールと動力伝達機構との連結をＯＮ／ＯＦＦするクラッチ機構の切り換え操作（クラッチＯＦＦ操作）で、スプールを動力伝達状態（釣糸巻取り状態）から動力遮断状態（スプールフリー状態）に切り換えて釣糸が繰り出されるようになっている。
【特許文献１】実開平１−１０５４６７号公報
【特許文献２】実用新案登録第３００８６９５号公報
【発明の開示】
【発明が解決しようとする課題】
【０００３】
而して、一般にスプールは、釣糸巻回胴部とこの両端側に設けられたフランジ部とで構成されているが、実釣時に釣糸が釣糸巻回胴部に巻回されると、スプールは釣糸の高負荷巻取り時の張力や釣場の温度，温度変化等の影響を受けて両端のフランジ部が軸方向外方へ変形する（伸びる）現象が生じていた。
既述したようにスプールはスプールフリー性能を維持すべく、リール本体に設けた軸受部との間でスラスト方向に所望の間隔を有する状態で回転自在に支持されているが、斯様に釣糸の張力等の影響を受けてフランジ部が軸方向外方へ変形してしまうと、スプールの側部がリール本体の軸受部をスラスト方向へ強く押圧することになって摩擦抵抗や接触が生じ、この結果、スプールフリー性能が著しく低下して円滑な釣糸繰出し操作や巻き取り操作が行えず、また、軸受部の耐久性が低下したり損傷してしまう等の問題が生じていた。
【０００４】
本発明は斯かる実情に鑑み案出されたもので、上述の如き不具合を解消して、円滑な釣糸繰出し操作や巻き取り操作を可能とした魚釣用リールを提供することを目的とする。
【課題を解決するための手段】
【０００５】
斯かる目的を達成するため、請求項１に係る発明は、リール本体に設けた軸受部に、スプールを回転自在に支持した魚釣用リールに於て、前記スプールと前記軸受部との間に、軸方向に当該スプールを付勢する付勢部材を装着し、当該付勢部材の付勢力で、前記軸受部との間に軸方向に間隔を空けてスプールを規制支持したことを特徴とする。
【発明の効果】
【０００６】
請求項１に係る発明によれば、スプールが付勢部材で軸方向に付勢力が作用する状態で軸受部との間に間隔を空けて規制支持されているので、軸方向の不要なガタ付きが抑えられる。
そして、実釣時の高負荷巻取り時に、スプールの釣糸巻回胴部に巻回される釣糸の張力等の影響でスプールの両端のフランジ部が軸方向外方へ変形しても、このスプールの軸方向変形を、軸受部との間に形成した間隔によって付勢部材の付勢力に抗して許容できるので、スプールの軸受部に対する接触を回避できる。
【０００７】
従って、既述したように高負荷巻取り時の釣糸の張力等の影響でフランジ部が軸方向外方へ変形しても、フランジ部が軸受部を直接スラスト方向へ強く押圧することがなくなり、軸受部に対する押圧力が大幅に減少，緩和され、この結果、スプールフリー性能の低下を確実に防止でき、円滑な釣糸繰出し操作や巻き取り操作が行えると共に、軸受部に対する負荷が軽減できるため、耐久性が向上する利点を有する。
【発明を実施するための最良の形態】
【０００８】
以下、本発明の実施形態を図面に基づいて詳細に説明する。
図１乃至図５は請求項１に係る魚釣用リールの第一実施形態を示し、図１及び図２に於て、１はリール本体３のフレーム、５，７はフレーム１の左右の側枠９，１１に取り付く側板で、両側板５，７間にスプール軸１３を介してスプール１５が回転可能に取り付き、フレーム１と両側板５，７とスプール軸１３によって魚釣用リール１７のリール本体３が形成されている。
【０００９】
従来と同様、スプール１５は、釣糸巻回胴部１９とその左右に設けられたフランジ部２１，２３とで構成されており、左側のフランジ部２１は側枠９に形成された大径な透孔２５に挿入され、右側のフランジ部２３は側枠１１に形成された大径な透孔２７に挿入されている。そして、スプール１５は、その軸心に設けたスプール軸挿通孔２９を挿通するスプール軸１３に、左右の軸受（軸受部）３１，３３を介して回転可能に支持されており、図２及び図３に示すようにフランジ部２１，２３側に開口するスプール軸挿通孔２９の開口周縁部に、当該スプール軸挿通孔２９よりも大径な断面円形形状の凹部３５，３７がスプール軸挿通孔２９と同軸上に形成され、当該凹部３５，３７に、前記軸受３１，３３が夫々装着されている。
【００１０】
そして、前記スプール１５は、スプールモータ３９の駆動やハンドル４１の巻取り操作で回転して釣糸巻回胴部１９に釣糸が巻回されるようになっており、スプールモータ３９は、スプール１５前方の側枠９，１１間に一体成形された筒状のモータケース４３内に収容されている。
また、図１に示すように側板５内には、スプールモータ３９のモータ軸３９ａの一端側に装着された太陽歯車とこれに噛合する遊星歯車や内歯歯車等からなる遊星減速機構４５と、複数枚の歯車４７ａ，４７ｂ，４７ｃからなる動力伝達機構４７が装着されている。
【００１１】
そして、図２に示すようにスプール軸１３の端部は、側板５の内側に取り付くセットプレート４９の軸受支持部５１に軸受５３を介して支持されている。そして、当該軸受５３と前記軸受３１間のスプール軸１３に形成された回止め部５５に前記歯車４７ｃが回止め嵌合されており、スプールモータ３９が駆動すると、その駆動力が前記遊星減速機構４５と動力伝達機構４７を介してスプール軸１３に伝達されるようになっている。
【００１２】
更に、図２に示すようにスプール軸１３は、スプール１９の中央を貫通してその他端側が側板７内に突出し、その突出端に遊星減速機構５７が装着されている。
従来周知のようにこの遊星減速機構５７は、スプール軸１３を介してスプール１５に伝達されるスプールモータ３９の駆動力を減速する減速機構として機能すると共に、ハンドル４１の巻取り動力をスプール１５に伝達させる動力伝達機構として機能するもので、図２及び図４に示すように遊星減速機構５７は、軸受５９を介してスプール軸１３の端部に回転可能に取り付くキャリア（遊星歯車支持体）６１と、当該キャリア６１に取付ピン６３と軸受６５を介して回転可能に取り付く複数の遊星歯車６７と、各遊星歯車６７が常時噛合する内歯歯車６９と太陽歯車７１とで構成されており、内歯歯車６９はスプール１５のフランジ部２３側内周に取り付き、太陽歯車７１はスプール軸１３に設けた回止め嵌合部７３に回止め嵌合されている。
【００１３】
また、キャリア６１は、スプール１５のフランジ部２３側端部に取り付くブラケット７５に軸受７７を介して回転可能に支持されると共に、当該ブラケット７５が軸受（軸受部）７９を介してフレーム１の側枠１１に支持されており、これらの支持構造によって、スプール軸１３の他端側とスプール１５のフランジ部２３側が側枠１１に回転自在に支持されている。
【００１４】
更にまた、図２及び図４に示すように、前記キャリア６１のボス部８１にはピニオン８３が係脱自在にクラッチ係合しており、当該ピニオン８３は、側枠１１と側板７間にカラー８５と軸受８７を介して回転可能且つその軸方向へ摺動可能に支持されている。
そして、従来と同様、ピニオン８３の外周に設けた円周溝８９に、図１の如くスプール１５後方の側板５，７間に装着したクラッチレバー９１の操作でピニオン８３と前記ボス部８１とを係脱させるクラッチ機構９３のクラッチプレート９５が配置されている。
【００１５】
また、図１及び図２に於て、４１はスプール巻取り用のハンドルで、ハンドル４１は、側枠１１に回転可能に挿着したハンドル軸９７の側板７外突出端に取り付けられている。そして、ハンドル軸９７の挿入先端側にラチェット９９が固着されると共に、前記ピニオン８３に噛合するドライブギヤ１０１が回転可能に取り付けられており、ドライブギヤ１０１とハンドル軸９７間は、ハンドル軸９７に装着した周知のドラグ装置１０３で摩擦結合されて、ハンドル４１の回転がドライブギヤ１０１に伝達されるようになっている。そして、ラチェット９９には図示しない係止爪が係止しており、斯様にラチェット９９に係止爪が係止してスプール１５の逆転止め、即ち、スプールモータ３９による釣糸の巻取り時に、ハンドル軸９７やドライブギヤ１０１がこれに連動して回転しないようになっている。
【００１６】
更に、図１に示すように側板７の上部前方には、特許第２９７７９７８号公報で開示された魚釣用リールと同様、スプールモータ３９のモータ出力を調節するレバー形状のモータ出力調節体（以下、「パワーレバー」という）１０５がハンドル４１と同方向へ回転操作可能に取り付けられており、当該パワーレバー１０５の操作で、制御ボックス１０７内に装着した制御手段（図示せず）が、スプールモータ３９のモータ出力をモータ停止状態から高出力値まで連続的に増減調節するようになっている。
【００１７】
そして、本実施形態は、円滑な釣糸繰出し操作や巻き取り操作を図るため、上述の如き構成に加え、図２乃至図４に示すように前記スプール１５と、当該スプール１５を回転自在に且つ軸方向規制を図る前記軸受３１，７９との間に、軸方向に当該スプール１５を付勢するスプリングワッシャ（付勢部材）１０９，１１１を装着したことを特徴とする。
即ち、既述したようにスプール１５は、フランジ部２１側の基部に形成した凹部３５に装着した軸受３１を介してスプール軸１３（リール本体３の構成要素）に回転自在に支持され、フランジ部２３側が軸受７９を介して側枠１１（リール本体３）に回転自在に支持されているが、図３に示すように軸受３１の側部と、当該軸受３１が装着された前記凹部３５の側壁３５ａ（スプール１５）との間に形成された間隔Ａにスプリングワッシャ１０９が装着されており、当該スプリングワッシャ１０９の付勢力で、スプール１５をハンドル４１側に向けて付勢している。つまり、スプリングワッシャ１０９の付勢力で、軸受３１との間に軸方向に間隔Ａを空けてスプール１５が規制支持されている。
【００１８】
一方、図４に示すように軸受７９の側部と、スプール１５のフランジ部２３側端部に取り付くブラケット７５との間に形成された間隔Ｂにスプリングワッシャ１１１が装着されており、当該スプリングワッシャ１１１の付勢力で、スプール１５をハンドル４１と反対側の側板５側に向けて付勢している。つまり、スプリングワッシャ１１１の付勢力で、軸受７９との間に軸方向に間隔Ｂを空けてスプール１５が規制支持されている。
【００１９】
そして、図５の二点鎖線で示すように、スプール１５の釣糸巻回胴部１９に巻回される高負荷巻取り時の釣糸１１３の張力等の影響で、スプール１５の両端のフランジ部２１，２３の基部が軸方向外方へ変形しても、前記間隔Ａ，Ｂは、フランジ部２１，２３の変形量を超える寸法に設定されて、フランジ部２１，２３の変形を許容して軸受３１，７９に接触しない構造となっている。そして、両スプリングワッシャ１０９，１１１の対向する軸方向の付勢力で規制支持されるので、スプール１５の軸方向の不要なガタ付きが常に抑えられる構造となっている。
【００２０】
本実施形態に係る電動リール１７はこのように構成されているから、実釣に当たり、給電接続部にコネクタを介して給電コードを接続し、給電コードをバッテリ等の電源に接続することでスプールモータ３９等に給電される。
そして、クラッチレバー９１のクラッチＯＦＦ操作で釣糸がスプール１５から繰り出され、パワーレバー１０５によるスプールモータ３９の駆動やハンドル４１の巻取り操作でスプール１５の釣糸巻回胴部１９に釣糸１１３が巻回されるが、これらの実釣時に、図３及び図４に示すようにスプール１５が、軸受３１，７９との間に形成された間隔Ａ，Ｂに装着されるスプリングワッシャ１０９，１１１の付勢力で軸方向の移動を規制支持されて、軸方向の不要なガタ付きが抑えられる。
【００２１】
また、図５の二点鎖線で示すように、高負荷巻取り時の釣糸１１３の張力等の影響でスプール１５の両端のフランジ部２１，２３の基部が軸方向外方へ変形しても、既述したように間隔Ａ，Ｂは、フランジ部２１，２３の変形量を超える寸法に設定されているため、フランジ部２１，２３の変形を許容して軸受３１，７９に接触せず、スプール１５はスプリングワッシャ１０９，１１１の対向する軸方向の付勢力で規制支持されて、軸方向の不要なガタ付きが抑えられることとなる。
【００２２】
このように、本実施形態によれば、高負荷巻取り時の釣糸１１３の張力等の影響でスプール１５の両端のフランジ部２１，２３が外方へ変形しても、フランジ部２１，２３の基部に設けた軸受３１，７９をスラスト方向へ強く押圧することがなくなり、軸受３１，７９に対する押圧力が大幅に減少，緩和され、この結果、スプールフリー性能の低下を確実に防止でき、円滑な釣糸繰出し操作や巻き取り操作が行えると共に、軸受３１，７９に対する負荷が軽減できるため、これらの耐久性が向上する利点を有する。
【００２３】
尚、付勢部材として、前記スプリングワッシャ１０９，１１１に代え、例えば図６に示すコイルスプリング１１５のバネ力や、図７に示す永久磁石１１７，１１９の異なる磁極の反発力を利用することも可能で、これらの請求項１の第二，第三実施形態に係る魚釣用リールによっても、前記実施形態と同様、所期の目的を達成することが可能である。
図８は請求項１の第四実施形態を示し、本実施形態は、特開平２００６−１４１２３９号公報等で周知のスプールモータをスプール内に装着した所謂「スプールインタイプ」の魚釣用リールに本発明を適用したもので、図に於て、１２１はフレーム１２３の左右の側枠１２５，１２７に側板１２９，１３１が着脱自在に装着されたリール本体、１３３は当該リール本体１２１に回転自在に取り付くスプールで、フレーム１２３の左側の側枠１２５に、後述する円筒状のモータケース１３５が取り付くセットプレート１３７がビス１３９で固着され、右側の側板１３１の下方に、手動巻取り駆動機構１４１のハンドル１４３が回転可能に取り付けられている。
【００２４】
そして、スプール１３３の中央に、当該スプール１３３と軸心を同じくして左右の端面１４５，１４７に開口する断面円形形状の収容部１４９が設けられており、スプール１３３の左側のフランジ部１５１側に開口する収容部１４９の開口周縁部に、当該収容部１４９よりも大径な断面円形形状の凹部１５０が収容部１４９と同軸上に形成されて、当該凹部１５０に軸受（軸受部）１５３が装着されている。そして、スプール１３３のフランジ部１５１の基部側は、収容部１４９内に収容されたモータケース１３５の外周に前記軸受１５３を介して回転可能に支持されており、モータケース１３５はセットプレート１３７と共にリール本体１２１を構成している。
【００２５】
また、図８に示すようにスプール１３３の右側のフランジ部１５５側は、前記収容部１４９を覆って端面１４７にビス止めされたブラケット１５７と、側枠１２７にビス止めされたセットプレート１５９との間に装着した軸受（軸受部）１６１によって、リール本体１２１に回転可能に支持されている。
そして、モータケース１３５内に、これと軸心を同じくしてスプールモータ１６３が収容されているが、本実施形態は、前記スプール１３３と前記軸受１５３，１６１との間に、軸方向に当該スプール１３３を付勢するスプリングワッシャ（付勢部材）１６５，１６７を装着したことを特徴とする。
【００２６】
即ち、既述したようにスプール１３３は、フランジ部１５１の基部側が軸受１５３を介してモータケース１３５（リール本体１２１）の外周に回転自在に支持されると共に、フランジ部１５５の基部側が端面１４７にビス止めされたブラケット１５７と、側枠１２７にビス止めされたセットプレート１５９との間に装着した軸受１６１によって、リール本体１２１に回転可能且つ軸方向に移動規制されて支持されており、軸受１５３の側部と、当該軸受１５３が装着された前記凹部１５０の側壁１５０ａ（スプール１３３）との間に形成した間隔Ａにスプリングワッシャ１６５が装着されており、当該スプリングワッシャ１６５の付勢力で、スプール１３３をハンドル１４３側に向けて付勢するように規制支持されている。
【００２７】
一方、軸受１６１の側部と前記ブラケット１５７との間に形成した間隔Ｂにスプリングワッシャ１６７が装着されており、当該スプリングワッシャ１６７の付勢力で、スプール１３３をハンドル１４３と反対側の側板１２９側に向けて付勢するように規制支持されている。
そして、高負荷巻取り時の釣糸の張力等の影響でスプール１３３の両端のフランジ部１５１，１５３の基部が軸方向外方へ変形しても、前記間隔Ａ，Ｂは、フランジ部１５１，１５３の変形量を超える寸法に設定されているため、フランジ部１５１，１５３の変形を許容して軸受１５３，１６１に接触しない構造となっている。そして、両スプリングワッシャ１６５，１６７の対向する軸方向の付勢力で規制支持されて、スプール１３３の軸方向の不要なガタ付きが常に抑えられる構造となっている。
【００２８】
尚、その他の構成は、特開平２００６−１４１２３９号公報で開示された魚釣用リールと同様であるので、それらの説明は省略する。
本実施形態に係る魚釣用リール１６９はこのように構成されているから、実釣時に、スプール１３３が、軸受１５３，１６１との間に形成された間隔Ａ，Ｂに装着したスプリングワッシャ１６５，１６７の付勢力で規制支持されて、軸方向の不要なガタ付きが抑えられる。
【００２９】
また、実釣時の高負荷巻取り時の釣糸の張力等の影響でスプール１３３の両端のフランジ部１５１，１５５が軸方向外方へ変形しても、既述したように間隔Ａ，Ｂは、フランジ部１５１，１５５の変形量を超える寸法に設定されているため、フランジ部１５１，１５５の変形を許容して軸受１５３，１６１に接触せず、スプール１３３はスプリングワッシャ１６５，１６７の対向する軸方向の付勢力で規制支持されて、軸方向のガタ付きが抑えられることとなる。
【００３０】
このように、本実施形態にあっても、高負荷巻取り時の釣糸の張力等の影響でスプール１５の両端のフランジ部１５１，１５５の基部が軸方向外方へ変形しても、フランジ部１５１，１５５が直接軸受１５３，１６１をスラスト方向へ強く押圧することがなくなり、軸受１５３，１６１に対する押圧力が大幅に減少，緩和され、この結果、前記実施形態と同様、スプールフリー性能の低下を確実に防止でき、円滑な釣糸繰出し操作や巻き取り操作が行えると共に、軸受１５３，１６１に対する負荷が軽減できるため、これらの耐久性が向上する利点を有する。
【００３１】
尚、本実施形態に於ても、図８のスプリングワッシャ１６５，１６７に代え、図６のコイルスプリング１１５や図７の永久磁石１１７，１１９をスプール１３３の付勢部材に用いることが可能である。
また、前記実施形態に於ては、スプールの両フランジ部の基部側を支持する軸受との間に形成した間隔に付勢部材を装着したが、いずれか一方のフランジ部の基部側を支持する軸受との間に形成した間隔に付勢部材を装着して、変形を許容すべく移動規制するように構成してもよい。
【図面の簡単な説明】
【００３２】
【図１】請求項１の第一実施形態に係る魚釣用リールの平面図である。
【図２】図１に示す魚釣用リールの要部背面断面図である。
【図３】図１に示す魚釣用リールの要部拡大断面図である。
【図４】図１に示す魚釣用リールの要部拡大断面図である。
【図５】スプールの変形状態を示す説明図である。
【図６】請求項１の第二実施形態に係る魚釣用リールの要部拡大断面図である。
【図７】請求項１の第三実施形態に係る魚釣用リールの要部拡大断面図である。
【図８】請求項１の第四実施形態に係る魚釣用リールの要部切欠き平面図である。
【符号の説明】
【００３３】
１，１２３  フレーム
３，１２１  リール本体
５，７，１２９，１３１  側板
９，１１，１２５，１２７  側枠
１３  スプール軸
１５，１３３  スプール
１７，１６９  魚釣用リール
１９  釣糸巻回胴部
２１，２３，１５１，１５５  フランジ部
２９  スプール軸挿通孔
３１，３３，７９，１５３，１６１  軸受（軸受部）
３５，３７，１５０  凹部
３９，１６３  スプールモータ
４１，１４３  ハンドル
４５，５７  遊星減速機構
４７  動力伝達機構
７５，１５７  ブラケット
９７  ハンドル軸
１０５  パワーレバー
１０９，１１１，１６５，１６７  スプリングワッシャ（付勢部材）
１１５  コイルスプリング（付勢部材）
１１７，１１９  永久磁石（付勢部材）
１４９  収容部
【図１】
2008061529.tif 000003
【図２】
2008061529.tif 000004
【図３】
2008061529.tif 000005
【図４】
2008061529.tif 000006
【図５】
2008061529.tif 000007
【図６】
2008061529.tif 000008
【図７】
2008061529.tif 000009
【図８】
2008061529.tif 000010